(57)【特許請求の範囲】
【請求項１】
眼球を覆う瞼に当接され、前記眼球の径と略同一径に形成された下部開口を有した接眼部と、
下端に前記接眼部が接続され、上端に上部開口を有し、使用者の指に把持される筒状の把持部と、
前記把持部の筒状内に、前記下部開口の中心軸線上に点眼容器の滴下口を位置させるように、前記上部開口から挿入される前記点眼容器を保持する保持部と、
を点眼補助具本体に有し、
前記保持部は、筒状を呈し、下端に前記点眼容器の肩部を支持する支持部と、前記点眼容器を前記支持部に装着案内する案内部と、を有し、
前記案内部には、前記上部開口側から前記支持部に向かって突出し、前記点眼容器を案内し、その姿勢を支える舌片が少なくとも３本設けられていることを特徴とする点眼補助具。
【請求項２】
眼球を覆う瞼に当接され、前記眼球の径と略同一径に形成された下部開口を有した接眼部と、
下端に前記接眼部が接続され、上端に上部開口を有し、使用者の指に把持される筒状の把持部と、
前記把持部の筒状内に、前記下部開口の中心軸線上に点眼容器の滴下口を位置させるように、前記上部開口から挿入される前記点眼容器を保持する保持部と、
を点眼補助具本体に有し、
前記保持部には、前記点眼容器として扁平点眼容器を保持可能とした扁平点眼容器受部が設けられ、前記扁平点眼容器受部には前記扁平点眼容器の扁平面を押圧しうる側面開口が設けられていることを特徴とする点眼補助具。
【請求項３】
前記点眼補助具本体は、前記上部開口の開口面が前記保持部に保持された前記点眼容器の底部と高さが略一致するように形成されていることを特徴とする請求項１または請求項２に記載の点眼補助具。
【請求項４】
前記舌片は前記案内部に切り起こし状に形成されていることを特徴とする請求項１に記載の点眼補助具。
【請求項５】
前記点眼補助具本体の前記把持部および前記保持部の少なくともいずれかには通気開口が設けられていることを特徴とする請求項１から請求項４のいずれか１項に記載の点眼補助具。
【請求項６】
前記点眼補助具本体のうち、少なくとも前記把持部と前記保持部とは、透明体ないし半透明体であることを特徴とする請求項１から請求項５のいずれか１項に記載の点眼補助具。
【発明の詳細な説明】
【技術分野】
【０００１】
本発明は、点眼時に点眼容器を装着して滴下を容易にさせる点眼補助具に関するものである。
【背景技術】
【０００２】
従来、点眼時に、点眼容器を眼に直接触れさせることを良しとしないため、自ら眼の真上の中空に位置させて点眼していた。しかし、高齢者や病人にとっては、点眼容器が小さいこともあって、正確に眼の位置をねらって点眼液を滴下することが困難である。そこで、種々の点眼補助具が提案されている。
【０００３】
このような点眼補助具としては、例えば、点眼容器の胴体部を眼の横方向で保持する直方体形状の胴体保持部と、胴体保持部の一端に設けられ、胴体保持部の長手方向に対して角度を持って瞼周辺に当接されるキャップ部と、が接続されたものがある。
【０００４】
このキャップ部は横長の開口部を有し、この開口部が、瞼周囲および鼻の形状に沿うように湾曲している。また、点眼補助具は、点眼時に開口部を瞼周囲および鼻に当接させた際、点眼容器が目尻側の斜め上方側に傾いて保持されるように、開口部の開口平面に対して胴体保持部が傾斜している（例えば、特許文献１）。
【先行技術文献】
【特許文献】
【０００５】
【特許文献１】特開２００８−２９５８８０号公報
【発明の概要】
【発明が解決しようとする課題】
【０００６】
しかしながら、上述した特許文献１に提案されている点眼補助具によれば、瞼周囲および鼻の湾曲形状は眼周辺の形状に合わせているが、柔らかい部位であるため、ほぼ自由な角度で当接させることとなる。また、点眼容器が十分大きな胴体保持部に保持されることにより、点眼容器の軸線が容易に分かるようになっているが、この軸線が滴下方向と一致していない。このため、点眼補助具の傾斜角度が固定されず、使用者の加減によって点眼の滴下位置がずれて点眼液を的確な位置に滴下できないという問題があった。
【０００７】
特に、使用者が手の震えがあるような者の場合には、胴体保持部を顔や眼に対して固定することがより困難であるため、的確な位置に滴下することが明らかにできない状態であった。
【０００８】
本発明は上記事情に鑑みなされたものであり、点眼液を的確な位置に滴下した点眼をすることのできる点眼補助具を提供することを目的とするものである。
【課題を解決するための手段】
【０００９】
上記目的を達成するために、本発明に係る点眼補助具は、眼球を覆う瞼に当接され、前記眼球の径と略同一径に形成された下部開口を有した接眼部と、下端に前記接眼部が接続され、上端に上部開口を有し、使用者の指に把持される筒状の把持部と、前記把持部の筒状内に、前記下部開口の中心軸線上に点眼容器の滴下口を位置させるように、前記上部開口から挿入される前記点眼容器を保持する保持部と、を点眼補助具本体に有し、前記保持部は、筒状を呈し、下端に前記点眼容器の肩部を支持する支持部と、前記点眼容器を前記支持部に装着案内する案内部と、を有し、前記案内部には、前記上部開口側から前記支持部に向かって突出し、前記点眼容器を案内し、その姿勢を支える舌片が少なくとも３本設けられていることを特徴とする。
また、本発明に係る点眼補助具は、眼球を覆う瞼に当接され、前記眼球の径と略同一径に形成された下部開口を有した接眼部と、下端に前記接眼部が接続され、上端に上部開口を有し、使用者の指に把持される筒状の把持部と、前記把持部の筒状内に、前記下部開口の中心軸線上に点眼容器の滴下口を位置させるように、前記上部開口から挿入される前記点眼容器を保持する保持部と、を点眼補助具本体に有し、前記保持部には、前記点眼容器として扁平点眼容器を保持可能とした扁平点眼容器受部が設けられ、前記扁平点眼容器受部には前記扁平点眼容器の扁平面を押圧しうる側面開口が設けられていることを特徴とする。
【００１０】
このように構成された本発明に係る点眼補助具によれば、接眼部の下部開口が眼球と眼窩との間である窪みに嵌るように接眼部が眼周囲の瞼に当接されるため、下部開口の中心軸と眼の視線軸とが略一致する。さらに、保持部が下部開口の中心軸上に点眼容器の滴下口を位置させるように点眼容器を保持するため、その結果、点眼容器の滴下口が鉛直に合わせた視線軸上に位置することになり、点眼液を的確な位置に滴下した点眼をすることができる。
【発明の効果】
【００１１】
本発明に係る点眼補助具によれば、点眼液を的確な位置に滴下した点眼をすることができる。
【図面の簡単な説明】
【００１２】
【図１】本発明の実施例１を示す点眼補助具の使用状態を示す正面図である。
【図２】図１の点眼補助具の構成を示す斜視図である。
【図３】点眼補助具と点眼容器との関係を示す図２のＡ−Ａ線断面図である。
【図４】接眼部の下部開口を使用者の眼窩の眼の周辺瞼に押し付けた状態を示す断面図である。
【図５】実施例１の点眼補助具による点眼操作を示す模式図である。
【図６】実施例１の点眼補助具の変形例１を示す斜視図である。
【図７】実施例１の点眼補助具の変形例２を示す斜視図である。
【図８】（ａ）は、実施例１の点眼補助具の変形例３を示す正面図であり、（ｂ）は、（ａ）の外筒部と内筒部とを分離した状態を示す斜視図である。
【図９】実施例２の点眼補助具の構成を示す斜視図である。
【図１０】図９の扁平点眼容器受部の構造を示す斜視図である。
【図１１】図９の本体に扁平点眼容器を装着した状態を示す断面図である。
【図１２】実施例２の扁平点眼容器受部の変形例である。
【発明を実施するための形態】
【００１３】
以下、本発明の点眼補助具を実現する実施の形態を、図面に基づいて説明する。
【実施例１】
【００１４】
図１に示すように、実施例１の点眼補助具は、点眼補助具本体（以下、本体という）１００に、眼球を覆う瞼（上瞼６２ａおよび下瞼６２ｂ）に当接される筒状の接眼部１と、下端に接眼部１が接続され、使用者の指に把持される筒状の把持部３と、把持部３の筒状内に設けられ、円筒状の点眼容器５０を保持する筒状の保持部４と、を有している。
【００１５】
本体１００の下端に設けられた接眼部１は、図２および図３に示すように、下部開口５を有している。また、図４に示すように、この下部開口５の径Ｌ１が、眼窩６０に収まる眼球６１の径Ｌ６１と略同一寸法に形成されている。
【００１６】
把持部３は、ここでは円筒状を呈し、親指、中指、薬指および小指で掴みやすい大きさに形成されている。そして、把持部３、保持部４の上端に、点眼容器５０を着脱自在に装着するように点眼容器５０の胴体部５０ａよりも十分に径が大きい上部開口７が設けられている。
【００１７】
保持部４は、下端に点眼容器５０の肩部５０ｂを支持する支持部２と、点眼容器５０を支持部２に装着案内する案内部８と、を有している。
【００１８】
保持部４の下端に設けられた支持部２は、図３に示すように、下部開口５の中心軸線Ｏ１上に点眼容器５０の滴下口５０ｃを位置させるように、点眼容器５０の肩部５０ｂを受け部２ａで支持するものである。
【００１９】
すなわち、この支持部２は、点眼容器５０の胴体部５０ａの径と略同一の内径Ｌ２を有する筒状であり、内部に点眼容器５０の滴下口５０ｃを貫通させて、肩部５０ｂを受け部２ａで支持するものである。そして、接眼部１の下部開口５の中心軸線Ｏ１と支持部２の中心軸線とが一致する位置関係に定められている。
【００２０】
また、保持部４は、図２および図３に示すように、上部開口７の内周縁と支持部２の周縁とを筒状に連結し、支持部２に向かって徐々に径を小さくした筒形状に形成されている。したがって、上部開口７から点眼容器５０を挿入する際、保持部４は案内部８としての機能を果たしている。
【００２１】
さらに、案内部８には、上部開口７側から支持部２の中心に向かって突出し、点眼容器５０を案内し、かつ、その姿勢を支える可撓性を有する少なくとも３本（ここでは４本）の舌片１２が等分割位置に設けられていても良い。
【００２２】
これら舌片１２は、下端が自由端であり、接着、溶着、差し込み等によって案内部８に固着されている。
【００２３】
また、本体１００は、上部開口７の開口面が保持部４に保持された点眼容器５０の底部５０ｄと高さが略一致するように形成されている。すなわち、図３に示すように、上部開口７から支持部２の上端までの長さＬ３が、点眼容器５０の底部５０ｄから肩部５０ｂまでの長さＬ５０ａと略同一となるように形成されている。
【００２４】
さらに、図３に示すように、支持部２の上端から下部開口５までの長さＬ４が、点眼容器５０の肩部５０ｂから滴下口５０ｃまでの長さＬ５０ｂよりも長くなるように形成されている。
【００２５】
なお、これら把持部３および保持部４は、円形筒状を呈しているが、楕円形筒状を呈して、把持し易くしてもよい。
【００２６】
次に、実施例１の点眼補助具の使用方法について説明する。
［点眼容器の装着］
点眼容器５０を本体１００の内部に装着させる際、使用者は、点眼容器５０を倒立姿勢に指で保持して、図３に示す矢印Ｂの方向に挿入させる。
【００２７】
このとき、点眼容器５０の挿入方向が支持部２の中心軸線から仮に外れていても、点眼容器５０を案内部８の機能をもつ保持部４に沿って移動させることで、点眼容器５０は支持部２に到達する。
【００２８】
さらに、複数の舌片１２が支持部２に向かって突出している場合には、点眼容器５０がこれら舌片１２に接触しながら支持部２の内部に向かって移動し、滴下口５０ｃが支持部２の中心軸線上に位置した状態で支持部２の受け部２ａにより肩部５０ｂが支持される。このとき、複数の舌片１２は、点眼容器５０を周囲から支えるので、点眼容器５０を所定の姿勢に安定して支持する。
【００２９】
なお、実施例１では点眼容器５０を本体１００に装着させる場合について説明しているが、点眼容器５０と胴体部の径や形状が異なる点眼容器であっても、その形状に応じて舌片１２が撓んで点眼容器を保持する。
［眼球を覆う瞼への当接］
その後、使用者は、把持部３を親指と中指、薬指、小指とで図５のように把持して、図１に示すように本体１００を眼球周囲の瞼上に移動させる。このとき、把持部３は指で掴みやすい大きさに形成されているため、使用者は本体１００を安定して把持することができる。
【００３０】
そして、使用者は、瞼を開けた状態あるいは半開状態で、接眼部１を眼周囲の上瞼６２ａおよび下瞼６２ｂに当接させる。ここで、下部開口５は、その径Ｌ１が眼窩６０内の眼球６１の径Ｌ６１と略同一である円形状に形成されているため、図４に示すように、眼窩６０と眼球６１との間である窪みに下部開口５が嵌るように、眼球６１の周囲に沿って当接し、上瞼６２ａおよび下瞼６２ｂを開いたまま、あるいは強制的に開いて固定される。
【００３１】
このようにして下部開口５が固定されると、下部開口５の中心軸線Ｏ１と眼球６１の中心とが一致する。
【００３２】
さらに、支持部２が下部開口５の中心軸線Ｏ１上に点眼容器５０の滴下口５０ｃを位置させるように点眼容器５０を保持する。この結果、図４に示すように、点眼容器５０の滴下口５０ｃが鉛直に合わせた視線軸上に位置する。
【００３３】
また、図３に示すように、支持部２の上端から下部開口５までの長さＬ４が、点眼容器５０の肩部５０ｂから滴下口５０ｃまでの長さＬ５０ｂよりも長くなるように形成されているため、接眼部１を瞼に当接させた際に、滴下口５０ｃが眼に接触しない位置に点眼容器５０が保持される。
［点眼操作］
図５は、実施例１の点眼補助具による点眼操作を示す模式図である。
【００３４】
図５に示すように、使用者は、把持部３を親指、中指、薬指、小指で把持した状態で人差し指によって上部開口７から、点眼容器５０の底部５０ｄを矢印Ｃに示す方向に軽く押す。
【００３５】
ここで、点眼容器５０の底部５０ｄは、胴体部５０ａと比較して面積が狭く、力を加えることによって変形させることのできる変形可能量が少ない。このため、底部５０ｄを軽く押すことによる点眼容器５０の変形がわずかであり、１滴のみ点眼液が的確な位置に滴下される。
［点眼容器の取り出し］
上記のような操作により点眼が終了した後、点眼補助具を瞼から外し、点眼容器５０の胴体部５０ａを親指と人差し指などによってつまみ、点眼容器５０を上部開口７から取り出すことができる。
【００３６】
このように構成された実施例１に係る点眼補助具によれば、以下のような効果を奏することができる。
【００３７】
すなわち、接眼部１が眼球６１の径Ｌ６１と略同一径の下部開口５を有するため、眼窩６０と眼球６１との間である窪みに嵌るように接眼部１を瞼に当接させて、接眼部１の下部開口５の中心軸線Ｏ１と視線軸とを略一致させることができる。そして、保持部４が、下部開口５の中心軸線Ｏ１上に滴下口５０ｃが位置するように点眼容器５０を保持するため、鉛直に合わせた視線軸上に滴下口５０ｃを位置させることができるので、点眼液を的確な位置に滴下した点眼をすることができる。
【００３８】
また、このように接眼部１が瞼に当接されることにより、上瞼６２ａおよび下瞼６２ｂは下部開口５により窪み内に向かってわずかに開かされ、瞼を開いた状態で瞼の開閉の動きが制限されるため、点眼時に瞼が閉じてしまうことを防ぐことができる。
【００３９】
さらに、把持部３には、大きな上部開口７が設けられていることにより、点眼容器５０を指で掴んで容易に着脱できる。
【００４０】
そして、本体１００は、上部開口７の開口面が保持部４に保持された点眼容器５０の底部５０ｄと高さが略一致するように形成されているため、把持部３を親指、中指、薬指、小指で把持した状態で人差し指によって上部開口７から点眼容器５０の底部５０ｄを軽く押すことで、片手で容易に点眼することができ、かつ、１滴ずつ点眼液を滴下することができる（図５参照）。
【００４１】
また、保持部４は、筒状を呈し、下端に点眼容器５０の肩部５０ｂを支持する支持部２と、点眼容器５０を支持部２に装着案内する案内部８と、を有することにより、点眼容器５０をこの案内部８に沿って移動させることで、点眼容器５０を支持部２に装着させる際の位置合わせを容易に行うことができる。
【００４２】
そして、案内部８に、上部開口７側から支持部２に向かって大きく突出し、点眼容器５０を案内し、その姿勢を支える舌片１２が少なくとも３本設けられていることにより、点眼容器５０を支持部２に装着させる際の位置合わせを一層容易に行うことができる。
【００４３】
さらに、点眼容器５０を本体１００の内部に装着させると、少なくとも３本の舌片１２により点眼容器５０の胴体部５０ａが挟持され、肩部５０ｂが受け部２ａに支持されるため、点眼容器５０の姿勢を適正に保持して固定することができる。
【００４４】
そして、このように舌片１２が設けられていることにより、点眼容器５０と胴体部の径や形状が異なる点眼容器であっても、その形状に応じて舌片１２が撓み、複数の箇所で点眼容器を保持することができる。
【００４５】
なお、本体１００のうち少なくとも把持部３と保持部４とは透明体ないし半透明体であることが好ましい。このような材質で形成されることにより、本体１００の内部を外側から視認することができるため、点眼容器５０の装着時や点眼時の点眼補助具の使用が容易である。
（変形例１）
図６は、実施例１の点眼補助具の変形例１を示す斜視図である。実施例１の点眼補助具においては、複数の舌片１２が接着、溶着、差し込み等によって案内部８に固着されている場合について説明したが、この変形例１における点眼補助具は、図６に示すように、少なくとも３本（ここでは４本）の舌片１２が、保持部４に上部開口７側を連結部とする切り起こし状に形成されている。
【００４６】
このように形成された変形例１における点眼補助具によれば、新たな部品の追加が無く安価に形成することができる。
（変形例２）
図７は、実施例１の点眼補助具の変形例２を示す斜視図である。この変形例２における点眼補助具は、図７に示すように、把持部３および保持部４に通気開口９が大きさ及び位置を適宜に形成されている。なお、この通気開口９は、把持部３または保持部４のいずれか一方にのみ形成されていてもよい。
【００４７】
このように構成された変形例２における点眼補助具によれば、漬け置き消毒等を行った後の乾燥を素早く行うことができる。
（変形例３）
図８（ａ）は、実施例１の点眼補助具の変形例３を示す正面図であり、図８（ｂ）は、図８（ａ）の外筒部１０と内筒部１１とを分離した状態を示す斜視図である。
【００４８】
この変形例３における点眼補助具は、図８（ａ）および（ｂ）に示すように、接眼部１および把持部３を有する外筒部１０と、支持部２、案内部８を有する内筒部１１とに分離可能に形成されている。
【００４９】
また、保持部４の上端には外側へ向けて広がった羽部１３が設けられ、把持部３の上部開口７の周縁と羽部１３とが当接されることによって、図８（ａ）に示すように、外筒部１０と内筒部１１とが固定される。
【００５０】
そして、このようにして外筒部１０と内筒部１１とを固定させた後、内筒部１１の内部へ点眼容器５０を挿入させる。
【００５１】
このように構成された変形例３における点眼補助具によれば、点眼補助具の漬け置き消毒等を行った後の乾燥を素早く行うことができるだけでなく、外筒部１０と内筒部１１とをそれぞれ成形できるため、複雑な成形型を用いることなく容易に成形することができる。
【実施例２】
【００５２】
実施例２に係る点眼補助具は、その内部に扁平点眼容器７０を保持可能とした扁平点眼容器受部３０を着脱自在に設けたものである。
【００５３】
図９は、実施例２の点眼補助具の構成を示す斜視図であり、図１０は、図９の扁平点眼容器受部３０の構造を示す斜視図であり、図１１は、図９の点眼補助具に扁平点眼容器７０を装着させた状態を示す断面図である。
【００５４】
図９に示すように、実施例２の点眼補助具は、点眼補助具本体（以下、本体という）２００に、眼球を覆う瞼に当接される筒状の接眼部２１と、下端に接眼部２１が接続され、使用者の指に把持される筒状の把持部２３と、把持部２３の筒状内に設けられ、扁平点眼容器７０を保持する筒状の保持部２４と、を有している。
【００５５】
また、保持部２４は、下端に筒状の支持部２２が設けられている。さらに、保持部２４の内部には、断面略Ｕ字形状であって内側に扁平点眼容器７０を保持可能とした扁平点眼容器受部３０が設けられている。
【００５６】
この扁平点眼容器受部３０は、図１０に示すように、内側に向けて湾曲したバネ性を有する湾曲部３４が形成されている。
【００５７】
また、扁平点眼容器受部３０は、扁平点眼容器７０の扁平面を押圧しうる側面開口３１と、扁平点眼容器７０の滴下口７０ｃを貫通させて肩部７０ｂを保持する保持開口３２と、支持部２２の内径Ｌ２２と略同一径を有し、支持部２２の内縁に当接される筒状の固定部３３と、が設けられている。
【００５８】
なお、この固定部３３は必ずしも筒状である必要はなく、支持部２２の内縁に当接される複数の爪であっても良い。
【００５９】
また、把持部２３は、使用者が把持しやすいように楕円形の筒状に形成されている。そして、把持部２３と保持部２４の上端に、楕円形状の上部開口２７が設けられている。
【００６０】
その他の構成は実施例１における構成と同様であるため、ここでの説明は省略する。なお、実施例１と同様に、少なくとも３本の舌片を形成してもよい。
【００６１】
次に、実施例２の点眼補助具による作用について説明する。
［扁平点眼容器受部の保持部への装着］
まず、扁平点眼容器受部３０を上部開口２７から保持部２４の内部へ挿入させる。このとき、扁平点眼容器受部３０の下端に設けられた固定部３３を支持部２２の内縁に当接させることにより、保持部２４に対する扁平点眼容器受部３０の位置が固定される。
［扁平点眼容器の扁平点眼容器受部への装着］
次に、扁平点眼容器受部３０に扁平点眼容器７０を装着させる。使用者は扁平点眼容器７０を倒立姿勢に指で保持して、図１０に示す矢印Ｄの方向に扁平点眼容器受部３０の内側へ挿入し、扁平点眼容器７０の滴下口７０ｃを保持開口３２に貫通させる。
【００６２】
このとき、バネ性を有する湾曲部３４が、扁平点眼容器７０により外側に向けてわずかに押し広げられるとともに扁平点眼容器７０を狭持する。これにより、図１１に示すように、扁平点眼容器７０が所定の姿勢に安定して保持される。
【００６３】
なお、扁平点眼容器７０を扁平点眼容器受部３０に装着させた後に、扁平点眼容器７０が装着された扁平点眼容器受部３０を保持部２４の内部へ装着させることも可能である。
［点眼操作］
また、点眼時には、接眼部２１を瞼に当接させ、把持部２３を把持した状態で上部開口２７から本体２００の内部へ指を入れる。そして、扁平点眼容器受部３０の側面開口３１から扁平点眼容器７０の扁平面を押すことにより、点眼液を滴下する。
【００６４】
このように構成された実施例２に係る点眼補助具によれば、上述した実施例１に係る点眼補助具による効果に加えて、保持部２４には、扁平点眼容器７０を保持可能とした扁平点眼容器受部３０が形成され、扁平点眼容器受部３０には扁平点眼容器７０の扁平面を押圧しうる側面開口３１が設けられているため、扁平点眼容器７０であっても使用することができる。
【００６５】
また、扁平点眼容器受部３０は保持部２４に対して着脱可能に設けられていることにより、胴体部５０ａが円筒状である点眼容器５０と、扁平点眼容器７０と、の双方に使用することができる。
【００６６】
なお、湾曲部３４が扁平点眼容器７０の扁平面を押すように、扁平点眼容器受部３０を内側に向けて押すことによって点眼液を滴下させることも可能である。しかし、この場合には湾曲部３４が扁平点眼容器７０を強く押してすぎてしまう可能性があるため、調整して扁平点眼容器受部３０を押す必要がある。
【００６７】
また、例えば、図１２に示すように、扁平点眼容器受部３０の上端に切り欠き３５を形成してもよい。このように構成された扁平点眼容器受部３０を有する点眼補助具によれば、点眼時に上部開口２７から本体２００の内部へ指を入れて扁平点眼容器７０の扁平面を押す際、切り欠き３５に指を入れることで容易に扁平点眼容器７０を押すことができる。
【符号の説明】
【００６８】
１  接眼部
２  支持部
３  把持部
４  保持部
５  下部開口
７  上部開口
８  案内部
１２  舌片
５０  点眼容器
１００  本体（点眼補助具本体）
【図１】
0005750794.tif 000002
【図２】
0005750794.tif 000003
【図３】
0005750794.tif 000004
【図４】
0005750794.tif 000005
【図５】
0005750794.tif 000006
【図６】
0005750794.tif 000007
【図７】
0005750794.tif 000008
【図８】
0005750794.tif 000009
【図９】
0005750794.tif 000010
【図１０】
0005750794.tif 000011
【図１１】
0005750794.tif 000012
【図１２】
0005750794.tif 000013